(57)【要約】【課題】鏡の曇りを解消しながら小物等の乾燥を行えるようにする。【解決手段】ミラーキャビネットＡは、内部に収納空間１３が形成されたキャビネット本体１０と、キャビネット本体１０の前面に配置された鏡３３と、収納空間１３内に向けて温風を吹き出す乾燥用風吹出口３０と、乾燥用風吹出口３０と隣り合うように配され、鏡３３に向けて温風Ｗを吹き出す曇止め用温風吹出口２９とを備えている。乾燥用風吹出口３０と曇止め用温風吹出口２９は、隣り合うように配置されているので、省スペース化を図ることができる。【選択図】図２
2019176917.tif 000002
【特許請求の範囲】
【請求項１】
内部に収納空間が形成されたキャビネット本体と、
前記キャビネット本体の前面に配置された鏡と、
前記収納空間内に向けて温風を吹き出す乾燥用風吹出口と、
前記乾燥用風吹出口と隣り合うように、又は前記乾燥用風吹出口と一体をなすように配され、前記鏡に向けて温風を吹き出す曇止め用温風吹出口とを備えていることを特徴とするミラーキャビネット。
【請求項２】
前記曇止め用温風吹出口が前記鏡の外周縁に配され、
前記曇止め用温風吹出口における温風の吹き出し方向が、前記鏡の表面に沿った向きであることを特徴とする請求項１記載のミラーキャビネット。
【請求項３】
前記乾燥用風吹出口における温風の吹き出しと、前記曇止め用温風吹出口における温風の吹き出しとを、個別に制御可能な制御部を備えていることを特徴とする請求項１又は請求項２記載のミラーキャビネット。
【請求項４】
前記曇止め用温風吹出口における温風の吹き出し方向が、前記鏡に対して斜めに接近する方向であることを特徴とする請求項１ないし請求項３のいずれか１項に記載のミラーキャビネット。
【請求項５】
前記乾燥用風吹出口と前記曇止め用温風吹出口が、１つの共用吹出口として前記鏡の前方に配されており、
前記キャビネット本体を構成する壁部には、前記共用吹出口と前記収納空間内とを連通させる切欠部が形成されていることを特徴とする請求項１ないし請求項４のいずれか１項に記載のミラーキャビネット。
【請求項６】
前記収納空間には、前記収納空間内を複数の収納スペースに区画する仕切板が設けられており、
前記仕切板には通気孔が形成されていることを特徴とする請求項１ないし請求項５のいずれか１項に記載のミラーキャビネット。
【請求項７】
前記キャビネット本体に、前記収納空間を前記キャビネット本体の外部に連通させる排気孔が形成されていることを特徴とする請求項１ないし請求項６のいずれか１項に記載のミラーキャビネット。
【発明の詳細な説明】
【技術分野】
【０００１】
本発明は、ミラーキャビネットに関する。
【背景技術】
【０００２】
特許文献１には、鏡と乾燥室とドライヤーを備えたミラーキャビネットが開示されている。乾燥室は鏡の側方に配置され、ドライヤーは乾燥室の上端部に配置されている。ドライヤーは、乾燥室の前方へ温風を吹き出す向きと、乾燥室の内部に温風を吹き出す向きとの間で回動可能となっている。温風を乾燥室の前方へ吹き出すようにすれば、入浴した後に濡れた髪を乾かすことができる。また、乾燥室の内部に温風を吹き出すようにすれば、入浴中に手洗いしたハンカチ等の小物を乾燥室内で乾燥させることができる。
【先行技術文献】
【特許文献】
【０００３】
【特許文献１】特開昭６３−３１８９０９号公報
【発明の概要】
【発明が解決しようとする課題】
【０００４】
入浴した後はミラーキャビネットの鏡が蒸気によって曇ってしまうため、ドライヤーで髪を乾かしながら髪型を整える作業を行い難い場合がある。また、ドライヤーで髪を乾かしている間は、乾燥室に温風を送り込むことができないという不便さもある。
【０００５】
本発明は、上記従来の実情に鑑みてなされたものであって、鏡の曇りを解消しながら小物等の乾燥を行えるようにすることを解決すべき課題としている。
【課題を解決するための手段】
【０００６】
本発明は、
内部に収納空間が形成されたキャビネット本体と、
前記キャビネット本体の前面に配置された鏡と、
前記収納空間内に向けて風を吹き出す乾燥用風吹出口と、
前記乾燥用風吹出口と隣り合うように、又は前記乾燥用風吹出口と一体をなすように配され、前記鏡に向けて温風を吹き出す曇止め用温風吹出口とを備えていることを特徴とする。
【発明の効果】
【０００７】
入浴中に手洗いしたハンカチ等の小物は、収納空間内に収容すれば、乾燥用風吹出口から吹き出す温風や冷風によって乾燥させることができる。また、収納空間内における乾燥と同時に、曇止め用温風吹出口から鏡に向けて温風を吹き出せば、入浴後に鏡の近傍に蒸気が充満しても、鏡の曇りを防止することができる。また、乾燥用風吹出口と曇止め用温風吹出口は隣り合うように又は一体をなすように配置されているので、省スペース化を図ることができる。
【図面の簡単な説明】
【０００８】
【図１】実施例１のミラーキャビネットの斜視図
【図２】ミラーキャビネットの側断面図
【図３】仕切板の斜視図
【図４】実施例２のミラーキャビネットの側断面図
【発明を実施するための形態】
【０００９】
本発明は、前記曇止め用温風吹出口が前記鏡の外周縁に配され、前記曇止め用温風吹出口における温風の吹き出し方向が、前記鏡の表面に沿った向きであってもよい。この構成によれば、曇止め用温風吹出口から吹き出す温風が、鏡の広範囲に亘って流れるので、鏡の広範囲に亘って曇り止めの効果が得られる。
【００１０】
本発明は、前記乾燥用風吹出口における風の吹き出しと、前記曇止め用温風吹出口における温風の吹き出しとを、個別に制御可能な制御部を備えていてもよい。この構成によれば、収納空間内で乾燥を行う機能と、鏡の曇り止めを行う機能のうちいずれか一方の機能のみが必要な場合に、乾燥用風吹出口や曇止め用温風吹出口から風や温風を無駄に吹き出さずに済む。
【００１１】
本発明は、前記曇止め用温風吹出口における温風の吹き出し方向が、前記鏡に対して斜めに接近する方向であってもよい。この構成によれば、曇止め用温風吹出口から吹き出した温風の全体が、確実に鏡に当たるので、曇り止め効果が高い。
【００１２】
本発明は、前記乾燥用風吹出口と前記曇止め用温風吹出口が、１つの共用吹出口として前記鏡の前方に配されており、前記キャビネット本体を構成する壁部には、前記共用吹出口と前記収納空間内とを連通させる切欠部が形成されていてもよい。この構成によれば、乾燥用風吹出口と曇止め用温風吹出口が１つの共用吹出口として開口していても、鏡の曇り止めと収納空間内の乾燥とを同時に行うことができる。
【００１３】
本発明は、前記収納空間には、前記収納空間内を複数の収納スペースに区画する仕切板が設けられており、前記仕切板には通気孔が形成されていてもよい。この構成によれば、１つの乾燥用風吹出口から吹き出した風を、複数の収納スペースに供給することが可能である。
【００１４】
本発明は、前記キャビネット本体に、前記収納空間を前記キャビネット本体の外部に連通させる排気孔が形成されていてもよい。この構成によれば、収納空間内に吹き込まれた温風の流れが良好となるので、乾燥効果が高い。
【００１５】
＜実施例１＞
以下、本発明を具体化した実施例１を図１〜図３を参照して説明する。尚、以下の説明において、前後の方向については、図２における左方を前方と定義する。上下の方向については、図１〜３にあらわれる向きを、そのまま上方、下方と定義する。左右の方向については、図１，３にあらわれる向きを、そのまま左方、右方と定義する。
【００１６】
本実施例１のミラーキャビネットＡは、洗面化粧台を構成するものであり、洗面ボウル（図示省略）の上方の壁面に固定して設けられている。ミラーキャビネットＡは、キャビネット本体１０と、曇止め用温風吹出口２９と、乾燥用風吹出口３０と、鏡３３とを備えて構成されている。
【００１７】
キャビネット本体１０は、背面壁１１と、背面壁１１の外周縁から前方へ突出した正面視方形の枠部１２とを備えている。キャビネット本体１０の内部には、前面が開放された収納空間１３が形成されている。鏡３３は、収納空間１３の前面の開口部１４を開閉するようになっている。鏡３３で収納空間１３の開口部１４を閉塞すると、収納空間１３内が閉塞された空間となる。
【００１８】
収納空間１３内には、複数の平板状をなす仕切板１５によって上下に区画された複数の収納スペース１７が形成されている。図３に示すように、仕切板１５には、仕切板１５を上下に貫通した形態の複数の通気孔１６が形成されている。複数の収納スペース１７は通気孔１６を介して連通している。
【００１９】
枠部１２を構成する上壁部１８（キャビネット本体１０を構成する壁部）の前端部は、収納空間１３の開口部１４を閉塞する状態の鏡３３よりも前方へ張り出した庇部１９となっている。上壁部１８内には、曇止め用温風通気路２０が設けられている。曇止め用温風通気路２０の上流端には、曇止め用温風供給路２１の下流端が接続されている。曇止め用温風供給路２１には曇止め用開閉弁２２が設けられている。
【００２０】
上壁部１８内には、乾燥用風通気路２３が設けられている。乾燥用風通気路２３の上流端には乾燥用風供給路２４の下流端が接続されている。乾燥用風供給路２４には乾燥用開閉弁２５が設けられている。曇止め用温風供給路２１の上流端と乾燥用風供給路２４の上流端は、共用供給路２６の下流端に接続され、共用供給路２６の上流端は温風供給源２７に接続されている。曇止め用開閉弁２２と乾燥用開閉弁２５の開閉動作は、制御部２８によって個別に制御されるようになっている。
【００２１】
曇止め用温風通気路２０の下流端は、庇部１９の下面において曇止め用温風吹出口２９として下向きに開口している。鏡３３が収納空間１３の開口部１４を閉塞している状態では、曇止め用温風吹出口２９が鏡３３の前面（表面）よりも僅かに前方に位置する。曇止め用温風吹出口２９は、左右方向に長いスリット状に開口している。乾燥用風通気路２３の下流端は、上壁部１８の下面のうち収納空間１３に臨む領域において乾燥用風吹出口３０として下向きに開口している。
【００２２】
乾燥用風吹出口３０は、曇止め用温風吹出口２９の後方において曇止め用温風吹出口２９と隣り合うように配置されている。乾燥用風吹出口３０は、左右方向に長いスリット状をなし、曇止め用温風吹出口２９と平行に開口している。枠部１２を構成する下壁部３１には、最下端の収納スペース１７を、キャビネット本体１０の外部下方の空間へ連通させる排気孔３２が形成されている。
【００２３】
次に、本実施例１の作用及び効果を説明する。入浴した後は、入浴中に手洗いしたハンカチ等の小物を、収納空間１３（収納スペース１７）内に収納し、収納空間１３の開口部１４を鏡３３で閉塞する。次に、キャビネット本体１０の前面の乾燥用操作部３４を操作する。この乾燥用操作部３４の操作により、制御部２８が乾燥用開閉弁２５を開弁させるので、乾燥用風吹出口３０から乾燥用の温風Ｗが最上段の収納スペース１７内に下向きに吹き込まれる。吹き込まれた温風Ｗは、通気孔１６を通ることによって、下段側の収納スペース１７を順次通過し、排気孔３２から収納空間１３の外部へ排出される。この間、収納スペース１７内の濡れた小物が、温風Ｗによって乾燥される。
【００２４】
また、入浴した後、鏡３３が曇った場合は、キャビネット本体１０の前面の曇止め用操作部３５を操作する。この曇止め用操作部３５の操作により、制御部２８が曇止め用開閉弁２２を開弁させるので、曇止め用温風吹出口２９から曇止め用の温風Ｗが鏡３３の前面に沿うように下向きに吹き出される。吹き出された温風Ｗが鏡３３の表面に沿って流れることにより、鏡３３が暖められるので、鏡３３の表面の結露水が蒸発する。鏡３３の曇りが解消されたら、鏡３３を見ながらドライヤーで濡れた髪を乾かしたり髪型を整えたりすることができる。この間、収納空間１３内の小物が乾燥する。
【００２５】
本実施例１のミラーキャビネットＡは、鏡３３の曇りを解消しながら小物等の乾燥を行えるようにしたものであり、内部に収納空間１３が形成されたキャビネット本体１０と、キャビネット本体１０の前面に配置された鏡３３とを備えている。このミラーキャビネットＡは、収納空間１３内に向けて温風Ｗを吹き出す乾燥用風吹出口３０と、乾燥用風吹出口３０と隣り合うように配されて、鏡３３に向けて温風Ｗを吹き出す曇止め用温風吹出口２９とを備えている。
【００２６】
入浴中に手洗いしたハンカチ等の小物は、収納空間１３内に収容すれば、乾燥用風吹出口３０から吹き出す温風Ｗによって乾燥させることができる。また、収納空間１３内における乾燥と同時に、曇止め用温風吹出口２９から鏡３３に向けて温風Ｗを吹き出せば、入浴後に鏡３３の近傍に蒸気が充満しても、鏡３３の曇りを防止することができる。また、乾燥用風吹出口３０と曇止め用温風吹出口２９は、一体をなすように又は隣り合うように配置されているので、省スペース化を図ることができる。
【００２７】
また、曇止め用温風吹出口２９は鏡３３の外周縁（上端縁）に配されており、曇止め用温風吹出口２９における温風Ｗの吹き出し方向は、鏡３３の表面（前面）に沿った下向きである。この構成によれば、曇止め用温風吹出口２９から吹き出す温風Ｗが、鏡３３の広範囲に亘って流れて鏡３３の下端部まで到達するので、鏡３３の広範囲に亘って曇り止めの効果が得られる。
【００２８】
また、乾燥用風吹出口３０における温風Ｗの吹き出しと、曇止め用温風吹出口２９における温風Ｗの吹き出しとが、制御部２８によって個別に制御されるようになっている。したがって、収納空間１３内で乾燥を行う機能と、鏡３３の曇り止めを行う機能のうちいずれか一方の機能のみが必要な場合には、必要な吹出口２９、３０だけから温風Ｗを吹き出すことができるので、温風Ｗを無駄に吹き出さずに済む。
【００２９】
また、収納空間１３には、収納空間１３内を複数の収納スペース１７に区画する仕切板１５が設けられており、仕切板１５には通気孔１６が形成されている。これにより、１つの乾燥用風吹出口３０から吹き出した温風Ｗを、複数の収納スペース１７に供給することが可能となっている。しかも、キャビネット本体１０には、収納空間１３をキャビネット本体１０の外部に連通させる排気孔３２が形成されているので、収納空間１３内に吹き込まれた温風Ｗの流れが良好となる。したがって、乾燥効果が高い。
【００３０】
＜実施例２＞
以下、本発明を具体化した実施例２を図４を参照して説明する。尚、以下の説明において、前後の方向については、図４における左方を前方と定義する。上下の方向については、図４にあらわれる向きを、上方、下方と定義する。
【００３１】
本実施例２のミラーキャビネットＢは、洗面化粧台を構成するものであり、洗面ボウル（図示省略）の上方の壁面に固定して設けられている。ミラーキャビネットＢは、キャビネット本体４０と、鏡６０と、共用吹出口５０と、曇止め用供給路５９とを備えて構成されている。
【００３２】
キャビネット本体４０は、背面壁４１と、背面壁４１の外周縁から前方へ突出した正面視方形の枠部４２とを備えている。キャビネット本体４０の内部には、前面が開放された収納空間４３が形成されている。鏡６０は、収納空間４３の前面の開口部４４を開閉するようになっている。鏡６０で収納空間４３の開口部４４を閉塞すると、収納空間４３内が閉塞された空間となる。
【００３３】
収納空間４３内には、複数の平板状をなす仕切板４５によって上下に区画された複数の収納スペース４６が形成されている。仕切板４５には、仕切板４５を上下に貫通した形態の複数の通気孔（図示省略）が形成されている。複数の収納スペース４６は通気孔を介して連通している。
【００３４】
枠部４２を構成する上壁部４７（キャビネット本体４０を構成する壁部）の前端部は、収納空間４３の開口部４４を閉塞する状態の鏡６０よりも前方へ張り出した庇部４８となっている。上壁部４７内には共通温風通気路４９が設けられている。共通温風通気路４９の上流端には温風供給路（図示省略）の下流端が接続され、温風供給路の上流端は温風供給源（図示省略）に接続されている。
【００３５】
共通温風通気路４９の下流端は、庇部４８の下面において共用吹出口５０として下向きに開口している。鏡６０が収納空間４３の開口部４４を閉塞している状態では、共用吹出口５０が鏡６０の前面（表面）よりも僅かに前方に位置する。共用吹出口５０は、左右方向に長いスリット状に開口している。共用吹出口５０のうち前端側領域は曇止め用温風吹出口５１として機能し、共用吹出口５０のうち後端側領域は乾燥用風吹出口５２として機能する。したがって、共用吹出口５０は、曇止め用温風吹出口５１として機能と乾燥用風吹出口５２としての機能を兼ね備えてている。
【００３６】
上壁部４７の庇部４８の下面（即ち、共用吹出口５０）は鏡６０の上端縁よりも上方に位置している。庇部４８の下面と鏡６０の上端縁との間には、鏡６０より前方の空間（ミラーキャビネットＢの外部空間）と、収納空間４３の上端部とを連通させる切欠部５３が構成されている。共用吹出口５０は、切欠部５３を介して収納空間４３の上端部と連通している。
【００３７】
共用吹出口５０の開口縁部のうち前側内面部は、鉛直方向に対して比較的小さい角度をなして傾斜した曇止め用吹出ガイド面５４として機能する。曇止め用吹出ガイド面５４は、曇止め用温風吹出口５１を構成し、鏡６０の前面（表面）における上端より少し下方の位置を指向している。共用吹出口５０の開口縁部のうち後側内面部は、鉛直方向に対し大きい角度で傾斜した乾燥用吹出ガイド面５５として機能する。乾燥用吹出ガイド面５５は、乾燥用風吹出口５２を構成し、鏡６０の上端より上方を通過し、収納空間４３内の上端部を指向している。
【００３８】
枠部４２を構成する下壁部５６の前端部は、収納空間４３の開口部４４を閉塞する状態の鏡６０よりも前方へ張り出した張出部５７となっている。下壁部５６内には曇止め用温風通気路５８が設けられている。曇止め用温風通気路５８の上流端には曇止め用温風供給路（図示省略）の下流端が接続され、曇止め用温風供給路の上流端は温風供給源（図示省略）に接続されている。曇止め用温風通気路５８の下流端は、張出部５７の上面において曇止め用吹出口５９として上向きに開口している。曇止め用吹出口５９は左右方向に長いスリット状に開口している。
【００３９】
次に、本実施例２の作用及び効果を説明する。入浴した後は、入浴中に手洗いしたハンカチ等の小物を、収納空間４３（収納スペース４６）内に収納し、収納空間４３の開口部４４を鏡６０で閉塞する。次に、キャビネット本体４０の前面の操作部（図示省略）を操作する。この操作部の操作により、共用吹出口５０と曇止め用吹出口５９から、夫々、温風Ｗが吹き出す。
【００４０】
共用吹出口５０から吹き出した温風Ｗのうち、乾燥用吹出ガイド面５５に沿って吹き出した温風Ｗは、切欠部５３を通過して収納空間４３の上端部内へ斜め下向きに吹き込まれる。吹き込まれた温風Ｗは、仕切板４５の通気孔を通ることによって、下段側の収納スペース４６を順次通過し、収納空間４３の外部へ排出される。この間、収納スペース４６内の濡れた小物が、温風Ｗによって乾燥される。
【００４１】
また、共用吹出口５０から吹き出した温風Ｗのうち、曇止め用吹出ガイド面５４に沿って吹き出した温風Ｗは、鏡６０の前面の上端部に対し斜め下向きに吹き付けられ、鏡６０に沿って下向きに流れる。この温風Ｗが鏡６０の表面に沿って流れることにより、鏡６０が暖められるので、鏡６０の表面の結露水が蒸発する。一方、曇止め用吹出口５９から吹き出した温風Ｗは、鏡６０の前面の下端部に対し斜め下向きに吹き付けられ、鏡６０に沿って上向きに流れる。この温風Ｗが鏡６０の表面に沿って流れることにより、鏡６０が暖められるので、鏡６０の表面の結露水が蒸発する。鏡６０の曇りが解消されたら、鏡６０を見ながらドライヤーで濡れた髪を乾かしたり髪型を整えたりすることができる。この間、収納空間４３内の小物が乾燥する。
【００４２】
本実施例２のミラーキャビネットＢは、鏡６０の曇りを解消しながら小物等の乾燥を行えるようにしたものであり、内部に収納空間４３が形成されたキャビネット本体４０と、キャビネット本体４０の前面に配置された鏡６０とを備えている。このミラーキャビネットＢは、収納空間４３内に向けて温風Ｗを吹き出す乾燥用風吹出口５２と、鏡６０に向けて温風Ｗを吹き出す曇止め用温風吹出口５１とが一体をなすように開口させた共用吹出口５０とを備えている。
【００４３】
入浴中に手洗いしたハンカチ等の小物は、収納空間４３内に収容すれば、共用吹出口５０から吹き出す温風Ｗによって乾燥させることができる。また、共用吹出口５０からは鏡６０に向けた温風Ｗも吹き出すので、入浴後に鏡６０の近傍に蒸気が充満しても、収納空間４３内における乾燥と同時に鏡６０の曇りを防止することができる。また、共用吹出口５０は、乾燥用風吹出口５２と曇止め用温風吹出口５１を一体をなすように配置した形態なので、省スペース化を図ることができる。
【００４４】
また、共用吹出口５０は鏡６０の外周縁（上端縁）に配されており、共用吹出口５０における温風Ｗの吹き出し方向は、鏡６０の表面（前面）に沿った下向きである。この構成によれば、共用吹出口５０から吹き出す温風Ｗが、鏡６０の広範囲に亘って流れて鏡６０の下端部まで到達するので、鏡６０の広範囲に亘って曇り止めの効果が得られる。
【００４５】
また、共用吹出口５０（曇止め用温風吹出口５１）における温風Ｗの吹き出し方向が、鏡６０に対して斜めに接近する方向である。この構成によれば、共用吹出口５０から吹き出した温風Ｗの全体が確実に鏡６０に当たるので、曇り止め効果が高い。
【００４６】
また、収納空間４３には、収納空間４３内を複数の収容スペース４６に区画する仕切板４５が設けられており、仕切板４５には通気孔（図示省略）が形成されている。これにより、１つの共用吹出口５０から吹き出した温風Ｗを、複数の収容スペース４６に供給することが可能となっている。
【００４７】
また、乾燥用風吹出口５２と曇止め用温風吹出口５１が１つの共用吹出口５０として鏡６０の前方に配されており、キャビネット本体４０を構成する上壁部４７には、共用吹出口５０と収納空間４３内とを連通させる切欠部５３が形成されている。この構成によれば、乾燥用風吹出口５２と曇止め用温風吹出口５１とが１つの共用吹出口５０として開口していても、鏡６０の曇り止めと収納空間４３内の乾燥とを同時に行うことができる。また、１つの共用吹出口５０として開口させたことにより、省スペース化を実現できた。
【００４８】
＜他の実施例＞
本発明は上記記述及び図面によって説明した実施例に限定されるものではなく、例えば次のような実施例も本発明の技術的範囲に含まれる。
（１）上記実施例１，２では、曇止め用温風吹出口を鏡の外周縁に配置し、曇止め用温風吹出口における温風の吹き出し方向を鏡の表面に沿った向きとしたが、曇止め用温風吹出口を鏡から前方へ離間した位置に配置し、曇止め用温風吹出口における温風の吹き出し方向を、鏡の表面に対して直角に近い角度となる向きとしてもよい。
（２）上記実施例１では、乾燥用風吹出口における温風の吹き出しと曇止め用温風吹出口における温風の吹き出しを個別に制御したが、乾燥用風吹出口における温風の吹き出しと曇止め用温風吹出口における温風の吹き出しを一体的に制御するようにしてもよい。
（３）上記実施例１では、乾燥用風吹出口と曇止め用温風吹出口が鏡の上縁部のみに設けられているが、乾燥用風吹出口と曇止め用温風吹出口は、鏡の側縁部のみに設けてもよく、下縁部のみに設けてもよく、上縁部と下縁部と左右両側縁部のうち任意の複数の縁部に設けてもよい。
（４）上記実施例２では、乾燥用風吹出口と曇止め用温風吹出口が鏡の上縁部と下縁部とに設けられているが、乾燥用風吹出口と曇止め用温風吹出口は、上縁部と下縁部と左右側縁部のうちのいずれか１つの縁部のみに設けてもよく、上縁部と下縁部と左右両側縁部のうち任意の複数の縁部に設けてもよい。
（５）上記実施例１，２では、仕切板が収納空間を上下に区画するようになっているが、仕切板は、収納空間内を左右に区画するものであってもよい。
（６）上記実施例１，２では、仕切板が網棚で構成されているが、仕切板は、平板状の部材に複数の通気孔を点在させた形態のものであってもよい。
（７）上記実施例では、仕切板が、平板状の板材に複数の通気孔を点在させた形態であるが、仕切板は、通気孔の開口総面積が大きい網棚で構成されていてもよい。
（８）上記実施例１では、乾燥用風吹出口から温風を吹き出すようにしたが、乾燥用風吹出口からは冷風が吹き出すようにしてもよい。
【符号の説明】
【００４９】
Ａ，Ｂ…ミラーキャビネット
Ｗ…温風
１０，４０…キャビネット本体
１３，４３…収納空間
１５，４５…仕切板
１６…通気孔
１７，４６…収納スペース
１８，４７…上壁部（キャビネット本体を構成する壁部）
３０，５２…乾燥用風吹出口
２９，５１…曇止め用温風吹出口
２８…制御部
３２…排気孔
３３，６０…鏡
５０…共用吹出口
５３…切欠部
【図１】
2019176917.tif 000003
【図２】
2019176917.tif 000004
【図３】
2019176917.tif 000005
【図４】
2019176917.tif 000006